(57)【要約】【課題】            １本の金属棒からなり、作成が容易で低コストの開口補強筋１または開口補強筋１を用いた鉄筋コンクリート３を提供すること。【解決手段】        鉄筋コンクリート３の開口部を補強するための開口補強筋１であって、開口部２を囲むために、一本の金属棒が連続した状態で囲の字状に形成する。また、開口部２を有する鉄筋コンクリート３であって、一本の金属棒が連続した状態で囲の字状に形成された開口補強筋１が、開口部２を囲むように配置されたものである【選択図】          図４
0003228612.tif 000002
【実用新案登録請求の範囲】
【請求項１】
鉄筋コンクリートの開口部を補強するための開口補強筋であって、
前記開口部を囲むために、一本の金属棒が連続した状態で囲の字状に形成されたものであることを特徴とする開口補強筋。
【請求項２】
開口部を有する鉄筋コンクリートであって、
一本の金属棒が連続した状態で囲の字状に形成された開口補強筋が、前記開口部を囲むように配置されたものであることを特徴とする鉄筋コンクリート。
【考案の詳細な説明】
【技術分野】
【０００１】
本考案は、鉄筋コンクリートにおける開口部の補強に用いられる開口補強筋および開口補強筋を用いた鉄筋コンクリートに関する。
【背景技術】
【０００２】
鉄筋コンクリートは、互いに平行な複数の主筋からなる主筋群と前記主筋に直交する複数の配力筋からなる配力筋群とを有している。また、前記鉄筋コンクリートに配管や配線用の貫通孔が設けられることがあるが、このような開口部が設けられる場合には、主に前記鉄筋コンクリートの強度低下やひび割れの発生を防止するため、当該開口部の周囲に開口補強筋が設置される。開口部は、通常、スリーブ等を設置した状態でコンクリートが打設され、その後、スリーブ等が取り外されることによって形成される。
【０００３】
開口補強筋は、前記開口部を囲い、一対の縦辺部が鉄筋コンクリートの主筋又は主筋に平行な鉄筋に取り付けられ、かつ、一対の横辺部が鉄筋コンクリートの配力筋又は配力筋に平行な鉄筋に取り付けられるように構成されている。（例えば特許文献１および特許文献２）
【先行技術文献】
【特許文献】
【０００４】
【特許文献１】実開平０５―０４２４４３
【特許文献２】特開２０２０―０９７８５３
【考案の開示】
【考案が解決しようとする課題】
【０００５】
しかしながら、従来の開口補強筋は複数の部材からなり、溶接等も必要になるため、製造に時間やコストがかかるという問題があった。
【０００６】
そこで本考案では、１本の金属棒からなり、作成が容易で低コストの開口補強筋または前記開口補強筋を用いた鉄筋コンクリートを提供することを目的とする。
【課題を解決するための手段】
【０００７】
上記目的を達成するために、本考案の開口補強筋は、鉄筋コンクリートの開口部を補強するための開口補強筋であって、前記開口部を囲むために、一本の金属棒が連続した状態で囲の字状に形成されたものであることを特徴とする。
【０００８】
また、本考案の鉄筋コンクリートは、開口部を有する鉄筋コンクリートであって、一本の金属棒が連続した状態で囲の字状に形成された開口補強筋が、前記開口部を囲むように配置されたものであることを特徴とする。
【考案の効果】
【０００９】
本考案の開口補強筋は、一本の金属棒を連続した状態で容易に作成ができ、低コストで提供できる。
【図面の簡単な説明】
【００１０】
【図１】本考案の開口補強筋を示す概略図である。
【図２】本考案の開口補強筋を示す写真である。
【図３】本考案の別の開口補強筋を示す写真である。
【図４】本考案の鉄筋コンクリートを示す斜視図である。
【考案を実施するための形態】
【００１１】
本考案の開口補強筋について、図１〜図３を用いて説明する。
【００１２】
本考案の開口補強筋は鉄筋コンクリートの開口部を補強するための開口補強筋であって、開口部を囲むために、一本の金属棒が連続した状態で囲の字状に形成されたものである。換言すると、一本の金属棒をいわゆる一筆書き状態で囲の字状に形成したものである。
【００１３】
具体的には、図１に示すように、第１直線部、第１接続部、第２直線部、第２接続部、第３直線部、第３接続部、第４直線部、第４接続部、第５直線部、第５接続部、第６直線部、第６接続部、第７直線部、第７接続部、第８直線部によって主に構成され、この順に一筆書き状に連続した１本の金属棒からなる。
【００１４】
また、第１直線部、第２直線部、第３直線部、第４直線部は互いに平行に形成され、これらと直角になるように、第５直線部、第６直線部、第７直線部、第８直線部が互いに平行に形成される。
【００１５】
より詳述すると、
（１）第１直線部と第２直線部は、所定の幅を有するように第１接続部によって１８０度折り曲げられて平行に形成される。
（２）第２直線部と第３直線部は、開口部や当該開口部を形成するためのスリーブ等の幅より大きい幅を有するように第２接続部によって１８０度折り曲げられて平行に形成される。
（３）第３直線部と第４直線部は、所定の幅を有するように第３接続部によって１８０度折り曲げられて平行に形成される。
（４）第４直線部と第５直線部は、第４接続部によって９０度折り曲げて直角になるように形成される。
（５）第５直線部と第６直線部は、所定の幅を有するように第５接続部によって１８０度折り曲げられて平行に形成される。
（６）第６直線部と第７直線部は、開口部や当該開口部を形成するためのスリーブ等の幅より大きい幅を有するように第６接続部によって１８０度折り曲げられて平行に形成される。
（７）第７直線部と第８直線部は、所定の幅を有するように第７接続部によって１８０度折り曲げられて平行に形成される。
【００１６】
ここで、第１ないし第８直線部は直線状に形成される。また、第１接続部ないし第３接続部および第５接続部ないし第８接続部は前述したそれぞれの直線部に接続できればどのような形状でもよいが、例えば、円弧状（図２参照）やコ字状（図３参照）に形成される。また、第４接続部も前述したそれぞれの直線部に接続できればどのような形状でもよいが、例えば、円弧状（図２参照）や直角状（図３参照）に形成される。
【００１７】
また、開口補強筋に用いる金属棒はどのような形状のものを使用してもよいが、例えば円柱状のものや角柱をねじった形状のものなどを使用することができる。また、金属棒の太さは、鉄筋コンクリートや鉄筋コンクリートの開口部の大きさに応じて適宜決定すればよい。例えば、直径が小さいものでは３．２ｍｍから、大きいものでは１６ｍｍまで、様々な太さのもので開口補強筋を作成することができる。
【００１８】
金属棒の材質は、開口部を補強できればどのような金属でもよいが、例えば、次のような鉄線を使用することができる。
１．ＪＩＳＧ３１１２：鉄筋コンクリート用棒鋼
２．ＪＩＳＧ３５３２：鉄線
３．ＪＩＳＧ３５４７：亜鉛メッキ鉄線
４．ＪＩＳＧ３５５８：ねじり角鉄線
【００１９】
また、開口補強筋の大きさも鉄筋コンクリートや鉄筋コンクリートの開口部の大きさに応じて適宜決定すればよい。例えば、１辺の長さが小さいものでは５０ｍｍから、大きいものでは１２００ｍｍまで、様々な大きさのものを作成することができる。
【００２０】
次に本考案の開口補強筋の使用方法を説明する。まず、鉄筋コンクリートに開口部を設けるためのスリーブ等が、所定位置に設置される。そして、このスリーブ等を第２直線部、第３直線部、第６直線部、第７直線部で囲うように本考案の開口補強筋が配置される。その後、ここにコンクリートが打設され、開口を開口補強筋で補強された鉄筋コンクリートが完成する。
【００２１】
また、本考案の鉄筋コンクリート３は、上述したように形成された鉄筋コンクリートであって、開口部２を有し、一本の金属棒が連続した状態で囲の字状に形成された開口補強筋が、当該開口部２を囲むように配置されたものである。
【００２２】
具体的には、図４に示すように、開口部を有する鉄筋コンクリート内の開口部を第２直線部、第３直線部、第６直線部、第７直線部で囲むように開口補強筋１が配置されたものである。これにより、鉄筋コンクリートの強度低下やひび割れの発生を防止することができる。
【符号の説明】
【００２３】
１  開口補強筋
２  開口部
３  鉄筋コンクリート
111  第１直線部
112  第２直線部
113  第３直線部
114  第４直線部
115  第５直線部
116  第６直線部
117  第７直線部
118  第８直線部
121  第１接続部
122  第２接続部
123  第３接続部
124  第４接続部
125  第５接続部
126  第６接続部
127  第７接続部
【図１】
0003228612.tif 000003
【図２】
0003228612.tif 000004
【図３】
0003228612.tif 000005
【図４】
0003228612.tif 000006